(57)【特許請求の範囲】
【請求項１】
遊技が可能な遊技機であって、
遊技領域を流下する遊技媒体が進入可能な進入部材を備え、
前記進入部材は、
進入した遊技媒体を誘導する誘導通路を形成する一対の側壁部を有する本体部と、
前記本体部を遊技盤面に取付けるための取付部と、
を有し、
前記遊技盤面は、前記取付部の少なくとも一部を挿入可能な被取付部を有し、
前記取付部は、
前記一対の側壁部のうち一方の側壁部より遊技媒体が接触する頻度が高い他方の側壁部に設けられ、
前記他方の側壁部と前記取付部との連結部を補強する補強部を有し、
前記取付部を前記遊技盤面の前側から前記被取付部に挿入して前記進入部材を該遊技盤面に取付けた状態において、前記補強部には前記遊技領域を流下する遊技媒体は接触しない
ことを特徴とする遊技機。
【発明の詳細な説明】
【技術分野】
【０００１】
本発明は、遊技が可能な遊技機に関する。
【背景技術】
【０００２】
パチンコ遊技機は、遊技者のハンドル操作によって打ち出された遊技球が流下する遊技盤の遊技領域の所定箇所に始動入賞口や大入賞口や一般入賞口などが設けられている。
【０００３】
この種のパチンコ遊技機は、例えば、上部に開口する本体部を備えた入賞部材を遊技盤面に固定されるベース部材の前面側に配置し、その背面側から本体部の側方に設けられる取付部に対してネジを締め付け固定することにより、遊技領域を流下する遊技球が進入可能な一般入賞口を構成したもの等があった（例えば、特許文献１参照）。
【先行技術文献】
【特許文献】
【０００４】
【特許文献１】特開２００６−２１８０２０号公報
【発明の概要】
【発明が解決しようとする課題】
【０００５】
しかしながら、上記特許文献１に記載のパチンコ遊技機にあっては、入賞部材をベース部材に取付けるための取付部が本体部の側壁部の外面に突出するように設けられているので、本体部の外側を流下する遊技球が取付部に接触して流下が阻害されてしまうという問題があった。
【０００６】
本発明は、このような問題点に着目してなされたもので、遊技媒体の流下を阻害することを抑制できる遊技機を提供することを目的とする。
【課題を解決するための手段】
【０００７】
前記課題を解決するために、本発明の請求項１に記載の遊技機は、
遊技が可能な遊技機であって、
遊技領域を流下する遊技媒体が進入可能な進入部材を備え、
前記進入部材は、
進入した遊技媒体を誘導する誘導通路を形成する一対の側壁部を有する本体部と、
前記本体部を遊技盤面に取付けるための取付部と、
を有し、
前記遊技盤面は、前記取付部の少なくとも一部を挿入可能な被取付部を有し、
前記取付部は、
前記一対の側壁部のうち一方の側壁部より遊技媒体が接触する頻度が高い他方の側壁部に設けられ、
前記他方の側壁部と前記取付部との連結部を補強する補強部を有し、
前記取付部を前記遊技盤面の前側から前記被取付部に挿入して前記進入部材を該遊技盤面に取付けた状態において、前記補強部には前記遊技領域を流下する遊技媒体は接触しない
ことを特徴としている。
本発明の手段１の遊技機は、
遊技が可能な遊技機（例えば、パチンコ遊技機１）であって、
遊技領域（例えば、遊技盤２の遊技領域１０）を流下する遊技媒体（例えば、遊技球Ｐ）が進入可能な進入部材（例えば、入賞部材５０５／入賞部材８０５）を備え、
前記進入部材は、
本体部（例えば、本体部５１３／本体部８１３）と、
前記本体部を遊技盤面（例えば、遊技盤２の遊技盤面２ａ、ベース部材５０２／ベース部材８０２）に取付けるための取付部（例えば、取付ボス５０７／取付ボス８０７）と、
を有し、
前記遊技盤面は、前記取付部の少なくとも一部を挿入可能な被取付部（例えば、凹部５０８／凹部８０８）を有し、
前記取付部は、前記本体部と前記取付部との連結部（連結部５１７）を補強する補強部（例えば、補強リブ５１９／補強リブ８１９）を有し、
前記取付部を前記遊技盤面の前側から前記被取付部に挿入して前記進入部材を該遊技盤面に取付けた状態において、前記補強部には前記遊技領域を流下する遊技媒体は接触しない（例えば、取付ボス５０７を遊技盤面２ａの前側（ベース部材５０２の前側）から凹部５０８に挿入して入賞部材５０５を該遊技盤面２ａ（ベース部材５０２）に取付けた状態において、補強リブ５１９には遊技領域１０を流下する遊技球Ｐは接触しない（図１０〜図１２参照）））
ことを特徴としている。
この特徴によれば、進入部材を遊技盤面に取付けた状態において、取付部が被取付部に挿入されることで遊技領域から退避するので、取付部が遊技媒体の流下を阻害することを抑制できる。また、取付部と本体部との連結部が補強部により補強されることで強度が向上するとともに、補強部に遊技媒体が接触することがないので、補強部により遊技媒体の流下が阻害されることを防止できる。
【０００８】
本発明の手段２の遊技機は、手段１に記載の遊技機であって、
前記補強部（例えば、補強リブ５１９／補強リブ８１９）は、板状のリブにて構成されている
ことを特徴としている。
この特徴によれば、補強部を極力小さく形成することができるため、遊技媒体が接触しにくくなるとともに、本体部と取付部とを安定して支持することができる。
【０００９】
本発明の手段３の遊技機は、手段１または２に記載の遊技機であって、
前記本体部（例えば、本体部５１３／本体部８１３）は、進入した遊技媒体（例えば、遊技球Ｐ）を誘導する誘導通路を形成する側壁（例えば、側壁部５１４Ｌ，５１４Ｒ／側壁部８１４Ｌ，８１４Ｒ）を有し、
前記取付部（例えば、取付ボス５０７／取付ボス８０７）は、前記側壁（例えば、側壁部５１４Ｒ／側壁部８１４Ｒ）に連結するように設けられ、
前記側壁の外面における前記取付部よりも上方位置には、該側壁の外面に沿って流下する遊技媒体を該側壁から離れる方向へ誘導する傾斜面（例えば、傾斜面５１５）が形成されている（図９参照）
ことを特徴としている。
この特徴によれば、側壁の外面に沿って流下する遊技媒体が補強部に接触することを回避できる。
【００１０】
本発明の手段４の遊技機は、手段１〜３のいずれかに記載の遊技機であって、
前記本体部（例えば、本体部５１３／本体部８１３）と前記取付部（例えば、取付ボス５０７／取付ボス８０７）と前記補強部（例えば、補強リブ５１９／補強リブ８１９）とは一体に形成されている
ことを特徴としている。
この特徴によれば、進入部材の強度が向上する。
【００１１】
本発明の手段５の遊技機は、手段１〜４のいずれかに記載の遊技機であって、
前記進入部材（例えば、入賞部材５０５／入賞部材８０５）は、前記取付部（例えば、取付ボス５０７／取付ボス８０７）を複数有する（変形例）
ことを特徴としている。
この特徴によれば、本体部を遊技盤面に安定して取付けることができる。
【００１２】
本発明の手段６の遊技機は、手段１〜５のいずれかに記載の遊技機であって、
前記本体部（例えば、本体部５１３／本体部８１３）は、遊技媒体（例えば、遊技球Ｐ）が進入する進入口（例えば、一般入賞口５０１）を有し、
前記取付部（例えば、取付ボス５０７／取付ボス８０７）は、前記本体部における前記進入口に対向する壁部（例えば、底壁部５１６／底壁部８１６）に連結するように設けられている（図９、図１４参照）
ことを特徴としている。
この特徴によれば、取付部が遊技媒体の進入方向の反対側に設けられるので、本体部を安定して支持できる。
【００１３】
本発明の手段７の遊技機は、手段１〜６のいずれかに記載の遊技機であって、
前記本体部（例えば、本体部５１３／本体部８１３）は、進入した遊技媒体（例えば、遊技球Ｐ）を誘導する誘導通路を形成する一対の側壁（例えば、側壁部５１４Ｌ，５１４Ｒ／側壁部８１４Ｌ，８１４Ｒ）を有し、
前記取付部（例えば、取付ボス５０７／取付ボス８０７）は、前記一対の側壁のうち少なくとも遊技媒体が外面に接触可能な側壁（例えば、側壁部５１４Ｌ／側壁部８１４Ｌ）と反対側の側壁（例えば、側壁部５１４Ｒ／側壁部８１４Ｒ）に連結するように設けられている（図９、図１４参照）
ことを特徴としている。
この特徴によれば、取付部が一対の側壁のうち少なくとも遊技媒体が外面に接触可能な側壁と反対側の側壁に設けられるので、本体部を安定して支持できる。
【００１４】
本発明の手段８の遊技機は、手段１〜７のいずれかに記載の遊技機であって、
前記補強部（例えば、補強リブ８１９）は、前記本体部（例えば、本体部８１３）と前記取付部（例えば、取付ボス８０７）とを前記遊技領域（例えば、遊技盤２の遊技領域１０）外の位置で補強している（変形例（図１４参照））
ことを特徴としている。
この特徴によれば、遊技領域を流下する遊技媒体に接触することを回避できる。
【００１５】
本発明の手段９の遊技機は、手段１〜８のいずれかに記載の遊技機であって、
前記取付部（例えば、取付ボス５０７／取付ボス８０７）は、前記遊技領域（例えば、遊技盤２の遊技領域１０）の反対側から所定の取付手段（例えば、ネジＮ１，Ｎ２）を介して前記被取付部（例えば、凹部５０８／凹部８０８）に取付けられる（図７、図１４（Ｂ）参照）
ことを特徴としている。
この特徴によれば、取付部は、取付手段により遊技領域と反対側から被取付部に取付けられるので、取付手段が遊技媒体の流下を阻害することを抑制できる。
【００１６】
尚、本発明は、本発明の請求項に記載された発明特定事項のみを有するものであってもよいし、本発明の請求項に記載された発明特定事項とともに該発明特定事項以外の構成を有するものであってもよい。
【図面の簡単な説明】
【００１７】
【図１】パチンコ遊技機を正面から見た正面図である。
【図２】主基板における回路構成の一例を示すブロック図である。
【図３】（Ａ）は入賞ユニットにおけるベース部材を正面側から見た要部拡大図であり、（Ｂ）はベース部材に入賞部材が取付けられた状態を正面側から見た要部拡大図である。
【図４】入賞ユニットにおける一般入賞口の構造を正面から見た分解斜視図である。
【図５】入賞ユニットにおける一般入賞口の構造を背面から見た分解斜視図である。
【図６】（Ａ）は入賞部材を示す右側面図であり、（Ｂ）は入賞部材を示す左側面図であり、（Ｃ）は入賞部材を示す背面図であり、（Ｄ）は入賞部材を右下方向から見た斜視図である。
【図７】図３（Ｂ）におけるＡ−Ａ断面図である。
【図８】ベース部材に入賞部材が取付けられた状態を示す背面図である。
【図９】ベース部材に入賞部材が取付けられた状態を示す正面断面図である。
【図１０】（Ａ）は図９におけるＢ−Ｂ断面図であり、（Ｂ）は図９におけるＣ−Ｃ断面図である。
【図１１】入賞部材の周辺の構成を上方から見た平面図である。
【図１２】入賞部材の周辺の構成を右上方向から見た図である。
【図１３】（Ａ）は本実施例における入賞部材の取付け態様を示す概略図であり、（Ｂ）及び（Ｃ）は従来の入賞部材の取付け態様を示す概略図である。
【図１４】（Ａ）は入賞部材の変形例を示す背面図であり、（Ｂ）は変形例における入賞部材の周辺の構成を右上方向から見た断面図である。
【発明を実施するための形態】
【００１８】
本発明に係る遊技機を実施するための形態を実施例に基づいて以下に説明する。
【実施例】
【００１９】
まず、遊技機の一例であるパチンコ遊技機１の全体の構成について説明する。図１は、パチンコ遊技機を正面から見た正面図である。図２は、主基板における回路構成の一例を示すブロック図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００２０】
図１は、本実施例におけるパチンコ遊技機の正面図であり、主要部材の配置レイアウトを示す。パチンコ遊技機（以下、遊技機と略記する場合がある）１は、大別して、遊技盤面２ａ（図１１参照）を前面側に有する遊技盤２（ゲージ盤ともいう）と、遊技盤２を支持固定する遊技機用枠（台枠）３とから構成されている。遊技盤２には、ガイドレール２ｂによって囲まれた正面視略円形状の遊技領域１０が形成されている。この遊技領域１０には、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。遊技盤２は、アクリル樹脂、ポリカーボネート樹脂、メタクリル樹脂等の透光性を有する合成樹脂材にて正面視略四角形状に形成され、前面である遊技盤面２ａに障害釘（図示略）やガイドレール２ｂ等が設けられた盤面板（図示略）と、該盤面板の背面側に一体的に取付けられるスペーサ部材（図示略）と、から主に構成されている。
【００２１】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２２】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリア５Ｌ，５Ｃ，５Ｒにて、各々を識別可能な複数種類の識別情報（装飾識別情報）である演出図柄が変動表示される。この演出図柄の変動表示も、変動表示ゲームに含まれる。
【００２３】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２４】
演出表示装置５は、遊技盤２よりも背面側に配設され、該遊技盤２に形成された開口２ｃを通して視認できるようになっている。尚、遊技盤２における開口２ｃには枠状のセンター飾り枠５１が設けられている。
【００２５】
演出表示装置５の表示領域の下部の左右２箇所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２６】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２７】
第１特別図柄表示器４Ａ及び第２特別図柄表示器４Ｂの上方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００２８】
演出表示装置５の下方には、普通入賞球装置６Ａが設けられ、演出表示装置５の右側下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域１０に突出する突出位置となる閉鎖状態と遊技領域１０から退避する退避位置となる開放状態とに変化する可動板６Ｃ（図４参照）を有する普通電動役物を備え、始動領域（第２始動領域）としての第２始動入賞口を形成する。
【００２９】
第１始動入賞口を通過（進入）した遊技球が第１始動口スイッチ２２Ａによって検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ２２Ｂによって検出されたことに基づき、所定個数（例えば３個）の遊技球が賞球として払い出され、第２特図保留記憶数が所定の上限値（例えば「４」）以下であれば、第２始動条件が成立する。
【００３０】
普通可変入賞球装置６Ｂの上方位置には、特別可変入賞球装置７が設けられている。特別可変入賞球装置７は、遊技盤２における右側下部に固定される入賞ユニット５００に組込まれているとともに、図２に示すソレノイド８２によって開閉駆動される大入賞口扉７Ｂによって開放状態と閉鎖状態とに変化する特定領域としての大入賞口７Ａを形成する。このように、特定領域としての大入賞口７Ａは、遊技球が通過（進入）しやすく遊技者にとって有利な開放状態と、遊技球が通過（進入）できない（または通過（進入）しにくい）遊技者にとって不利な閉鎖状態とに変化する。
【００３１】
大入賞口７Ａを通過（進入）した遊技球が図２に示すカウントスイッチ２３によって検出されたことに基づき、所定個数（例えば１５個）の遊技球が賞球として払い出される。従って、特別可変入賞球装置７において大入賞口７Ａ（図４参照）が開放状態となれば、その大入賞口７Ａに遊技球が進入可能となり、遊技者にとって有利な第１状態となる。その一方で、特別可変入賞球装置７において大入賞口７Ａが閉鎖状態となれば、大入賞口７Ａに遊技球を通過（進入）させて賞球を得ることが不可能または困難になり、遊技者にとって不利な第２状態となる。
【００３２】
また、入賞ユニット５００には、後述する入賞部材５０５により一般入賞口５０１が設けられている（図３参照）。この一般入賞口５０１を通過（進入）した遊技球は、後述する誘導部５１０により遊技盤２の背面側に設けられた入賞スイッチ３０（図２参照）に誘導され、入賞スイッチ３０により該遊技球が通過（進入）したことが検出される。そして、入賞スイッチ３０により遊技球の通過（進入）が検出されたことに基づき、賞球として所定個数（例えば１０個）の遊技球の払い出しのみを行われる。
【００３３】
第２保留表示器２５Ｂの上方位置には、普通図柄表示器２０が設けられている。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３４】
遊技盤２の表面には、上記の構成以外にも、遊技球の流下方向や速度を変化させる風車及び多数の障害釘が設けられている。また、遊技領域１０の最下方には、いずれの入賞口にも進入しなかった遊技球が取込まれるアウト口が設けられている。遊技機用枠３の左右上部位置には、効果音等を再生出力するためのスピーカ８Ｌ，８Ｒが設けられており、さらに遊技領域１０の周辺部には、演出用ＬＥＤ９が設けられている。遊技機用枠３の右下部位置には、遊技媒体としての遊技球を遊技領域１０に向けて発射するために遊技者等によって操作される打球操作ハンドル（操作ノブ）が設けられている。
【００３５】
遊技領域１０の下方における遊技機用枠３の所定位置には、賞球として払い出された遊技球や所定の球貸機により貸し出された遊技球を、発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿９１が設けられている。下皿９１を形成する部材に取付けられたスティックコントローラ３１Ａの傾倒操作はコントローラセンサユニット３５Ａにて検出され、上皿９０を形成する部材に設けられたプッシュボタン３１Ｂに対してなされた押下動作はプッシュセンサ３５Ｂにて検出される。
【００３６】
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００３７】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００３８】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００３９】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００４０】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００４１】
図２に示すように、演出制御基板１２は、主基板１１とは独立したサブ側の制御基板であり、中継基板１５を介して主基板１１から伝送された制御信号を受信して、演出表示装置５、スピーカ８Ｌ，８Ｒ及び演出用ＬＥＤ９、プッシュセンサ３５Ｂといった演出用の電気部品による演出動作を制御するための各種回路が搭載されている。
【００４２】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００４３】
演出表示装置５の演出図柄表示エリア５Ｌ，５Ｃ，５Ｒでは、特図ゲームが開始されることに対応して、演出図柄の変動表示が開始される。
【００４４】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。また、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００４５】
次に、図３〜図１３に基づいて、前述した入賞ユニットにおける一般入賞口５０１の構造について説明する。図３は、（Ａ）は入賞ユニットにおけるベース部材を正面側から見た要部拡大図であり、（Ｂ）はベース部材に入賞部材が取付けられた状態を正面側から見た要部拡大図である。図４は、入賞ユニットにおける一般入賞口の構造を正面から見た分解斜視図である。図５は、入賞ユニットにおける一般入賞口の構造を背面から見た分解斜視図である。図６は、（Ａ）は入賞部材を示す右側面図であり、（Ｂ）は入賞部材を示す左側面図であり、（Ｃ）は入賞部材を示す背面図であり、（Ｄ）は入賞部材を右下方向から見た斜視図である。図７は、図３（Ｂ）におけるＡ−Ａ断面図である。図８は、ベース部材に入賞部材が取付けられた状態を示す背面図である。図９は、ベース部材に入賞部材が取付けられた状態を示す正面断面図である。図１０は、（Ａ）は図９におけるＢ−Ｂ断面図であり、（Ｂ）は図９におけるＣ−Ｃ断面図である。図１１は、入賞部材の周辺の構成を上方から見た平面図である。図１２は、入賞部材の周辺の構成を右上方向から見た平面図である。図１３は、（Ａ）は本実施例における入賞部材の取付け態様を示す概略図であり、（Ｂ）及び（Ｃ）は従来の入賞部材の取付け態様を示す概略図である。
【００４６】
図３〜図５に示すように、入賞ユニット５００は、板状のベース部材５０２と、ベース部材５０２の背面側に取付けられる特別可変入賞球装置７と、ベース部材５０２における特別可変入賞球装置７の右側上方の位置に設けられる一般入賞口５０１（進入口）と、から主に構成されており、遊技領域１０の右下の位置に固定される。
【００４７】
ベース部材５０２は、前後に貫通する大入賞口７Ａと、一般入賞口５０１に進入した遊技球Ｐが通過する貫通孔５０４と、前述した第２始動入賞口に進入した遊技球Ｐが通過する図示しない貫通孔が設けられている。
【００４８】
ベース部材５０２における貫通孔５０４の後方には、前面側（遊技領域１０側）から流入してきた遊技球Ｐを入賞スイッチ３０（図２参照）に誘導する誘導部５１０が形成されている。ベース部材５０２の前面における貫通孔５０４の右側方下部には、後述する取付ボス５０７を前面側から挿入可能な凹部５０８（被取付部）が形成され、凹部５０８の背面には、前後に貫通する孔５０９が形成されている。また、ベース部材５０２における入賞部材５０５の下方には、一般入賞口５０１の側方を流下した遊技球Ｐを左側の大入賞口７Ａに向けて誘導する誘導部５１１が設けられている。また、誘導部５１１の外側（右側）にはガイドレール２ｂが配置されており、入賞部材５０５とガイドレール２ｂとの間に遊技球Ｐが流下可能な流路が形成されている。入賞部材５０５とガイドレール２ｂとの間の流路を流下した遊技球Ｐは全て誘導部５１１により誘導されるようになっている（図１、図９参照）。
【００４９】
一般入賞口５０１は、遊技領域１０を流下する遊技球Ｐが進入可能な入賞部材５０５がベース部材５０２に固定されることにより構成される。この入賞部材５０５は、樹脂材を射出成形加工または圧縮成形加工することにより、前壁部５１２、前壁部５１２から背面側に向けて突出する側壁部５１４Ｌ，５１４Ｒ及び底壁部５１６からなる本体部５１３と、入賞部材５０５をベース部材５０２に取付けるための取付ボス５０７（取付部）と、本体部５１３と取付ボス５０７との連結部５１７を補強する補強部としての補強リブ５１９とを有し、これら本体部５１３と取付ボス５０７と補強リブ５１９とは一体的に形成されている。
【００５０】
一般入賞口５０１は、本体部５１３の開口部を上方に向け、且つ貫通孔５０４を前面側から被覆するように入賞部材５０５をベース部材５０２に固定することにより、上方に開口するように構成される。この本体部５１３は、一般入賞口５０１から進入した遊技球Ｐを背面側の誘導部５１０側に誘導する誘導通路を形成している。
【００５１】
図６に示すように、本体部５１３の右側の側壁部５１４Ｒは、上方から垂下して所定長さ延び、そこから外側（右側）に傾斜しながら下方に所定長さ延びた形状を成している。つまり、側壁部５１４Ｒの下方側の外面は、下方に向けて漸次外側に向けて傾斜する傾斜面５１５となっている。本体部５１３の底壁部５１６は、その右端が右下方側に傾斜して延びており、側壁部５１４Ｒは、その下端が右下方側に傾斜して延びている。そして底壁部５１６と側壁部５１４Ｒとの連結部分は背面視略Ｕ字形をなし、右下方側に突出するように形成されており、底壁部５１６と側壁部５１４Ｒとの内面間に遊技球Ｐが進入不能な隙間Ｓが形成されている。
【００５２】
この底壁部５１６と側壁部５１４Ｒとの連結部分の背面側には、後方に突出する円筒状の取付ボス５０７が設けられており、取付ボス５０７の背面には、内面に雌ネジ部が形成されたネジ孔５１８が設けられている。このネジ孔５１８は、取付ボス５０７を凹部５０８内に固定する際に用いられる。このように、連結部分の背面側に突出する取付ボス５０７に設けられたネジ孔５１８を利用して取付ボス５０７を凹部５０８内に固定する構造であるため、本体部５１３を構成する側壁部５１４Ｌ，５１４Ｒ及び底壁部５１６の板厚Ｌ３をネジ孔５１８の直径Ｌ２よりも厚く形成しなくてもよく、流下する遊技球Ｐの流れを極力阻害しないようにできるとともに、入賞部材５０５の製造コストを抑えることができる。
【００５３】
尚、本実施例では、側壁部５１４Ｌ，５１４Ｒ及び底壁部５１６の板厚Ｌ３は、ネジ孔５１８の直径Ｌ２とほぼ同一の厚みとなっている（Ｌ２＝Ｌ３）が、側壁部５１４Ｌ，５１４Ｒ及び底壁部５１６の板厚Ｌ３は、ネジ孔５１８の直径Ｌ２よりも薄く形成されていてもよい（Ｌ２＞Ｌ３）。
【００５４】
また、取付ボス５０７は、前端面の左側の一部（図６（Ｃ）にて網点で示す領域）が側壁部５１４Ｒと底壁部５１６との連結部分の背面に重畳し、それ以外の部位が該連結部分よりも外側（右斜め下方）に張り出して設けられている。すなわち、取付ボス５０７は、前端面の左側の一部のみが本体部５１３と連結しており、取付ボス５０７と本体部５１３との連結部５１７の連結強度が脆弱になっている。
【００５５】
取付ボス５０７の前面と、側壁部５１４Ｒと底壁部５１６との連結部分の外面とで成す角部には、右斜め上面視略三角形状の補強リブ５１９が形成されており、この補強リブ５１９により本体部５１３と取付ボス５０７との連結部５１７が補強されている。詳しくは、補強リブ５１９は板状をなし、取付ボス５０７の前面と、側壁部５１４Ｒと底壁部５１６との連結部分の外面とに対して直交するように立設されている。よって、取付ボス５０７の一部を側壁部５１４Ｒと底壁部５１６との連結部分から外側に張り出させても、取付ボス５０７の本体部５１３に対する取付け強度が向上している。また、この補強リブ５１９は、正面視における取付ボス５０７の外形から外側に突出しないようになっている。
【００５６】
底壁部５１６の上面と前壁部５１２の背面とには、一般入賞口５０１から流入した遊技球Ｐを背面側の貫通孔５０４に向けて転がるようにガイドする凸条部５２５が設けられており、この凸条部５２５により遊技球Ｐの流れをスムーズにして球詰まりを防止できるとともに、前壁部５１２と本体部５１３との連結強度も高くなっている。
【００５７】
また、本体部５１３の左側の側壁部５１４Ｌは、垂直に延びているとともに、該側壁部５１４Ｌの外側（左側）には、前後方向を向く筒状部５２０が外側に突出して設けられている。この筒状部５２０の内側には、内面に雌ネジ部が形成されたネジ孔５２１が設けられている。このネジ孔５２１は、筒状部５２０をベース部材５０２に固定する際に用いられる。さらに、側壁部５１４Ｌにおける筒状部５２０の上方は、後方向に突出する位置決め用の突起部５２２が設けられている。
【００５８】
図４〜図９に示すように、取付ボス５０７は、ベース部材５０２の凹部５０８に挿入されるとともに、突起部５２２は、ベース部材５０２における該突起部５２２に対応する挿入部５２３に挿入される。取付ボス５０７及び突起部５２２が凹部５０８及び挿入部５２３に挿入された際には、本体部５１３の背面全体がベース部材５０２の前面に面当接する。さらに、取付ボス５０７のネジ孔５１８は、凹部５０８の孔５０９に連通するとともに、筒状部５２０のネジ孔５２１は、ベース部材５０２に設けられた連通孔５２４と連通するように位置決めされる。これら取付ボス５０７のネジ孔５１８及び筒状部５２０のネジ孔５２１には、ベース部材５０２の背面側（遊技領域１０と反対側）からネジＮ１，Ｎ２（取付手段）が締め付けられ、入賞部材５０５がベース部材５０２に対して固定される。このように、取付ボス５０７は、ネジＮ１により遊技領域１０と反対側から凹部５０８に取付けられるので、ネジＮ１が遊技球Ｐの流下を阻害することを抑制できる。
【００５９】
また、入賞部材５０５がベース部材５０２に対して固定された状態にあっては、本体部５１３の背面全体がベース部材５０２の前面に面当接しているため、入賞部材５０５のベース部材５０２に対する固定強度が高い。さらに、取付ボス５０７は、本体部５１３の後部から背面側に突出するように連結され、かつ、一部が本体部５１３の外面より外側に張り出すように設けられているので、入賞部材５０５とベース部材５０２との接触面積が大きく、打ち込まれる遊技球Ｐの衝突により入賞部材５０５に生じる衝撃に対する強度が高い。
【００６０】
また、入賞部材５０５は、本体部５１３とベース部材５０２とにより上方に開口する一般入賞口５０１が形成され、取付ボス５０７は、本体部５１３における一般入賞口５０１に対向する底壁部５１６の近傍に連結するように設けられている。つまり、取付ボス５０７が遊技球Ｐの進入方向の反対側に設けられるので、入賞部材５０５を安定して支持でき、上方から進入してくる遊技球Ｐの衝撃に対して高い強度を発揮できる。
【００６１】
本実施例のパチンコ遊技機１は、遊技領域１０において演出表示装置５の左側方を通過する第１経路と演出表示装置５の右側方を通過する第２経路とに遊技球Ｐを打ち分けることが可能とされており、特に前述した時短状態では、第２経路に通過ゲート４１が設けられていることから、遊技球Ｐが第１経路よりも高い割合で第２経路を通過することになる（所謂、右打ち遊技が行われる）。図９に示すように、第２経路を流下する遊技球Ｐは、センター飾り枠５１や図示しない障害釘の配列などによって、入賞部材５０５の右側上方から該入賞部材５０５の左側方、右側方、一般入賞口５０１へ向けて誘導される。尚、第２経路を流下する遊技球Ｐの大半は、入賞部材５０５の左側方または右側方を流下するように誘導される。
【００６２】
また、入賞部材５０５の左側方に誘導された遊技球Ｐは特別可変入賞球装置７へ誘導され、入賞部材５０５の右側方に誘導された遊技球Ｐは、入賞部材５０５とガイドレール２ｂとの間を流下し、誘導部５１１により入賞部材５０５の下方を通過して左側の普通可変入賞球装置６Ｂへ誘導される。また、入賞部材５０５の右側方を流下する遊技球Ｐは、入賞部材５０５の右側上方から下方向に流下するとともに、ガイドレール２ｂに接触することもあるので、跳ね返った遊技球Ｐが右側の側壁部５１４Ｒの外面に接触することも多い。一方、入賞部材５０５の左側方を流下する遊技球Ｐは、入賞部材５０５の右側上方から該入賞部材５０５よりも左側に配設された特別可変入賞球装置７に向けて左斜め下方へ流下するため、この遊技球Ｐの流下方向の下流側を向く左側の側壁部５１４Ｌの外面には遊技球Ｐが接触しにくい。よって、右側の側壁部５１４Ｒの外面に遊技球Ｐが接触する頻度は、左側の側壁部５１４Ｌの外面に遊技球Ｐが接触する頻度よりも高い。
【００６３】
取付ボス５０７は、本体部５１３において、ガイドレール２ｂとの間に遊技球Ｐの流路を形成する右側の側壁部５１４Ｒに連結するように設けられている。このように取付ボス５０７が右側の側壁部５１４Ｒに連結するように設けられていることで、取付ボス５０７が右側の側壁部５１４Ｒの右側方に誘導される遊技球Ｐの流下を阻害しないとともに、遊技球Ｐが接触する頻度が高い入賞部材５０５を安定して支持でき、側壁部５１４Ｒとガイドレール２ｂとの間を流下する遊技球Ｐの衝撃に対して高い強度を発揮できる。さらに、取付ボス５０７近傍を通過する遊技球Ｐの流下が阻害されることを防止できるため、本体部５１３に対する取付ボス５０７の連結位置の設計自由度が向上する。
【００６４】
一方、左側の側壁部５１４Ｌの外面に遊技球Ｐが接触する頻度は低く、また、左側方は広い流下領域が形成されているため、取付ボス５０７のように本体部５１３の後方位置に連結せず、側壁部５１４Ｌの外面に筒状部５２０を突設しても、遊技球Ｐの流下を阻害しにくい。
【００６５】
また、取付ボス５０７がベース部材５０２の凹部５０８に挿入された際には、取付ボス５０７がベース部材５０２の前面よりも背面側に埋め込まれるため、取付ボス５０７に遊技球Ｐが接触することがない。つまり、入賞部材５０５をベース部材５０２に取付けた際において、取付ボス５０７が凹部５０８に挿入されることで遊技領域１０から退避するので、取付ボス５０７が遊技球Ｐの流下を阻害することを抑制できる。
【００６６】
また、取付ボス５０７がベース部材５０２の凹部５０８に挿入された際には、後述するように、補強リブ５１９に遊技領域１０を流下する遊技球Ｐが当接しないようになっている。つまり、取付ボス５０７を遊技盤面２ａの前側（ベース部材５０２の前側）から凹部５０８に挿入して入賞部材５０５を該遊技盤面２ａ（ベース部材５０２）に取付けた状態において、補強リブ５１９には遊技領域１０を流下する遊技球Ｐは接触しない。
【００６７】
尚、本実施例では、取付ボス５０７がベース部材５０２の凹部５０８に挿入された際には、取付ボス５０７がベース部材５０２の前面よりも背面側に埋め込まれ、補強リブ５１９は、ベース部材５０２の前面よりも前面側に突出しているが、補強リブ５１９の一部がベース部材５０２の前面よりも背面側に埋め込まれてもよい。また、本実施例では、凹部５０８は、斜め左上方方向の寸法Ｌ６が大きくなっており（図３（Ａ）参照）、取付ボス５０７を挿入し易くしているが、凹部は取付ボス５０７の外形よりも若干大径の形状を成していてもよい。また、本実施例では、取付ボス５０７は、背面視略円筒形状を成しているが、凹部５０８内に収容可能であれば取付ボスの外形形状は自由に設計しても構わない。
【００６８】
また、傾斜面５１５は、取付ボス５０７の上方位置に配置されていることから、側壁部５１４Ｒの外面に沿って流下する遊技球Ｐが、傾斜面５１５により該側壁部５１４Ｒから離れる方向（右側）へ誘導されるため、該遊技球Ｐが補強リブ５１９に接触することを回避できる（図９参照）。また、側壁部５１４Ｒと底壁部５１６との連結部分に隙間Ｓが形成されていることで、側壁部５１４Ｒが変形しやすく（撓みやすく）なっていることで、傾斜面５１５に遊技球Ｐが衝突した際に生じる衝撃が吸収されるため、側壁部５１４Ｒの破損が防止される。
【００６９】
また前述のように、補強リブ５１９は板状であり、取付ボス５０７の外形から外側に突出しないように極力小さく形成されていることから、例えば、遊技球Ｐが誘導部５１１に当たって底壁部５１６の下方に向けて跳ね返っても補強リブ５１９に接触しない。
【００７０】
図１０〜図１２に示すように、遊技球Ｐは、半径Ｌ１の球体であり、図１０（Ａ）及び図１１に示す状態において、遊技球Ｐがベース部材５０２の前面と側壁部５１４Ｒの外面（傾斜面５１５）とにそれぞれ当接した際（遊技球Ｐが補強リブ５１９に最も接近した際）には、ベース部材５０２の前面と側壁部５１４Ｒの外面とで成す角部に所定の空間５２６（ここでは、ベース部材５０２の前面と側壁部５１４Ｒの外面と遊技球Ｐの外面とで成す上面視略三角形状の空間５２６）が上下方向に形成される。尚、この空間５２６は、図１０（Ｂ）及び図１２に示す状態においても、上記と同様に形成される。さらに言えば、空間５２６は、本体部５１３の外面とベース部材５０２の前面との角部のいずれの位置（例えば、底壁部５１６の外面とベース部材５０２の前面との角部など）においても形成される。
【００７１】
補強リブ５１９は、本体部５１３の外面に沿った空間５２６内に収まる大きさ（寸法）でベース部材５０２の前面側（遊技領域１０側）に突出するように形成されている。したがって、遊技球Ｐが補強リブ５１９に最も接近した位置を通過しても、遊技球Ｐが補強リブ５１９に接触しない。このように、遊技球Ｐがどの位置にあっても、補強リブ５１９に遊技球Ｐが接触することがないので、補強リブ５１９により遊技球Ｐの流下が阻害されることを防止できる。
【００７２】
図１３（Ａ）に示すように、本実施例の入賞部材５０５は、取付ボス５０７が遊技領域１０側に張り出さず、且つ本体部５１３と取付ボス５０７との連結部５１７を補強する補強リブ５１９に遊技球Ｐが接触することがないので、側壁部５１４Ｒの外面に沿って遊技球Ｐを阻害することなくスムーズに流下させることができる。また、取付ボス５０７は、本体部５１３の後方側に突出して設けられ、該取付ボス５０７に設けられたネジ孔５１８を利用して、取付ボス５０７を背面側から凹部５０８内に固定する構造であるため、ネジＮ１の直径（直径Ｌ２）に左右されず、本体部５１３を構成する側壁部５１４Ｌ，５１４Ｒの厚み（板厚Ｌ３）を薄くできる。このように、側壁部５１４Ｌ，５１４Ｒの厚みを極力薄くできるので、例えば、遊技球Ｐの流下領域を大きく確保するために、入賞部材５０５をできるだけ右側（ガイドレール２ｂ側）に寄せて配置することや、一般入賞口５０１の大きさの変更などの設計自由度が高い。つまり、側壁部５１４Ｌ，５１４Ｒの厚みを薄くした分のスペースを有効に利用することができる。
【００７３】
対して、図１３（Ｂ）のように、側壁部６１４Ｌ，６１４Ｒの厚みを薄くした（板厚Ｌ３にした）従来の入賞部材６０５にあっては、入賞部材６０５をベース部材６０２に取付けるための取付部６０７を側壁部６１４Ｒの外側に張り出して設けざるを得ず、側壁部６１４Ｒの外面に沿って流下する遊技球Ｐに取付部６０７が当接してしまい、流下する遊技球Ｐの流れが阻害されてしまう。言い換えれば、図１３（Ａ）の入賞部材５０５における側壁部５１４Ｒの外面よりも外側の領域で遊技球Ｐの流れが阻害されるとともに、図１３（Ａ）の入賞部材５０５に比べ、入賞部材６０５の占有スペースが大きいため、側壁部６１４Ｌ，６１４Ｒ及び底部６１６の厚みを薄くした分のスペースを有効に利用できない。
【００７４】
また、図１３（Ｃ）のように、側壁部７１４Ｌ，７１４Ｒの背面側にネジＮ３Ｌ，Ｎ３Ｒを締め付けてベース部材７０２に取付ける従来の入賞部材７０５にあっては、ネジＮ３Ｌ，Ｎ３Ｒの直径Ｌ４よりも側壁部７１４Ｌ，７１４Ｒの板厚Ｌ５を厚くしなければならないため（ネジＮ３Ｌ，Ｎ３Ｒの直径Ｌ４に側壁部７１４Ｌ，７１４Ｒの板厚Ｌ５が左右されてしまうため）、側壁部７１４Ｒの外面に沿って流下する遊技球Ｐに側壁部７１４Ｌが当接してしまい、流下する遊技球Ｐの流れが阻害されてしまう。言い換えれば、図１３（Ａ）の入賞部材５０５における側壁部５１４Ｒの外面よりも外側の領域で遊技球Ｐの流れが阻害されるとともに、図１３（Ａ）の入賞部材５０５に比べ、入賞部材７０５の占有スペースが大きい。
【００７５】
以上説明したように、本発明の実施例としてのパチンコ遊技機１にあっては、遊技盤２の遊技領域１０を流下する遊技球Ｐが進入可能な入賞部材５０５を備え、入賞部材５０５は、本体部５１３と、本体部５１３をベース部材５０２に取付けるための取付ボス５０７と、を有し、ベース部材５０２は、取付ボス５０７の少なくとも一部を挿入可能な凹部５０８を有し、取付ボス５０７は、本体部５１３と取付ボス５０７との連結部５１７を補強する補強リブ５１９を有し、取付ボス５０７をベース部材５０２の前側から凹部５０８に挿入して入賞部材５０５をベース部材５０２に取付けた状態において、補強リブ５１９には遊技領域１０を流下する遊技球Ｐは接触しない。
【００７６】
このようにすることで、入賞部材５０５をベース部材５０２に取付けた状態において、取付ボス５０７が凹部５０８に挿入されることで遊技領域１０から退避するので、取付ボス５０７が遊技球Ｐの流下を阻害することを抑制できる。また、取付ボス５０７と本体部５１３との連結部５１７が補強リブ５１９により補強されることで強度が向上するとともに、補強リブ５１９に遊技球Ｐが接触することがないので、補強リブ５１９により遊技球Ｐの流下が阻害されることを防止できる。つまり、ベース部材５０２に対する入賞部材５０５の取付けに関わる部位（取付ボス５０７や補強リブ５１９）が遊技球Ｐの流下に影響しないので、遊技領域１０の設計自由度が向上する。
【００７７】
また、本実施例では、底壁部５１６と側壁部５１４Ｒとの連結部分が右下方側に突出しており、該突出した連結部分に取付ボス５０７が連結されていることで、側壁部５１４Ｌ，５１４Ｒ、底壁部５１６、前壁部５１２により形成された遊技球Ｐの誘導通路を遊技球Ｐが通過する際に接触しない位置に取付ボス５０７設けることができる。
【００７８】
また、補強リブ５１９は、板状のリブにて構成されていることにより、補強リブ５１９を極力小さく形成することができる。したがって、本体部５１３における底壁部５１６の近傍に回り込んだ遊技球Ｐ等であっても接触しにくくなるとともに、本体部５１３と取付ボス５０７とを安定して支持することができる。
【００７９】
また、本体部５１３は、進入した遊技球Ｐを誘導する誘導通路を形成する側壁部５１４Ｌ，５１４Ｒを有し、取付ボス５０７は、側壁部５１４Ｒの下方近傍に連結するように設けられ、側壁部５１４Ｒの外面における取付ボス５０７よりも上方位置には、側壁部５１４Ｒの外面に沿って流下する遊技球Ｐを該側壁部５１４Ｒから離れる方向へ誘導する傾斜面５１５が形成されているため、側壁部５１４Ｒの外面に沿って流下する遊技球Ｐが補強リブ５１９に接触することを回避できる。
【００８０】
また、本体部５１３と取付ボス５０７と補強リブ５１９とは一体に形成されているため、入賞部材５０５の強度が向上する。さらに、入賞部材５０５を組立てる手間を省略できるとともに、入賞部材５０５を組立てる際に必要なネジ等を省略して安価に製造できる。
【００８１】
また、本体部５１３は、遊技球Ｐが進入する一般入賞口５０１を有し、取付ボス５０７は、本体部５１３における一般入賞口５０１に対向する底壁部５１６に連結するように設けられており、このように、取付ボス５０７が遊技球Ｐの進入方向の反対側、つまり、上方に開口する一般入賞口５０１に進入した遊技球Ｐを受け止める一般入賞口５０１の対向側に配置される底壁部５１６に連結して設けられるので、本体部５１３を安定して支持できる。
【００８２】
また、本体部５１３は、進入した遊技球Ｐを誘導する誘導通路を形成する一対の側壁部５１４Ｌ，５１４Ｒを有し、取付ボス５０７は、一対の側壁部５１４Ｌ，５１４Ｒのうち遊技球Ｐが接触する頻度が高い側壁部５１４Ｒに連結するように設けられていることで、本体部５１３を安定して支持できる。
【００８３】
また、取付ボス５０７は、遊技盤２の遊技領域１０の反対側（背面側）からネジＮ１，Ｎ２を介して凹部５０８に取付けられるので、ネジＮ１，Ｎ２が遊技球Ｐの流下を阻害することを抑制できる。
【００８４】
以上、本発明の実施例を図面により説明してきたが、具体的な構成はこれら実施例に限られるものではなく、本発明の要旨を逸脱しない範囲における変更や追加があっても本発明に含まれる。
【００８５】
次に、入賞部材の変形例について図１４を用いて説明する。図１４は、（Ａ）は入賞部材の変形例を示す背面図であり、（Ｂ）は変形例における入賞部材の周辺の構成を右上方向から見た断面図である。
【００８６】
図１４（Ａ）に示すように、入賞部材８０５は、本体部８１３が側壁部８１４Ｌ，８１４Ｒ及び底壁部８１６によりほぼ同一厚さの背面視略Ｕ字形状を成し、側壁部８１４Ｒと底壁部８１６との連結部分が右斜め下方に膨出して肉厚となっている。この連結部分の背面と取付ボス８０７の外面とで成す角部に補強リブ８１９が設けられている。つまり、前記実施例では、入賞部材５０５をベース部材５０２に取付けたときに、補強リブ８１９が遊技領域１０側に配置されるようになっていたが、本変形例のように、補強リブ８１９は取付ボス８０７よりも本体部８１３側の領域に設けられていてもよい。
【００８７】
図１４（Ｂ）に示すように、ベース部材８０２に設けられた凹部８０８には、補強リブ８１９と対応する位置に切欠き部８２７が設けられており、取付ボス８０７を凹部８０８に挿入した際には、補強リブ８１９が切欠き部８２７内に挿入される。つまり、取付ボス８０７を凹部８０８に挿入した際には、補強リブ８１９は、本体部８１３と取付ボス８０７とを遊技盤２の遊技領域１０外の位置で補強しており、前記実施例の補強リブ５１９が遊技者側（正面側）に存在しないため、遊技領域１０を流下する遊技球Ｐに接触することを回避できる。さらに、補強リブ８１９は、遊技者側（正面側）から露見しないため、美観が向上する。
【００８８】
また、前記実施例では、補強リブ５１９は板状に形成されている形態を例示したが、本発明はこれに限定されるものではなく、本体部５１３と取付ボス５０７との連結部５１７を補強し、かつ、遊技球Ｐに接触しない位置に設けられていれば、形状は板状のものに限定されるものではない。
【００８９】
また、前記実施例では、取付ボス５０７がベース部材５０２に形成された凹部５０８に挿入されることで入賞部材５０５がベース部材５０２に取付けられる形態を例示したが、これに限定されるものではなく、遊技盤面２ａに凹部を設け、該凹部に取付ボス５０７を挿入することで、入賞部材５０５が遊技盤面２ａ直接取付けられるようにしてもよい。つまり、取付部が挿入可能な被取付部は、ベース部材５０２や遊技盤面２ａといった取付ベースに設けられていればよい。
【００９０】
また、前記実施例では、取付ボス５０７が凹部５０８に挿入された際には、取付ボス５０７が遊技領域１０側に露出しない形態について例示したが、これに限定されるものではなく、取付ボス５０７の一部が凹部５０８に挿入され、その他の部分がベース部材５０２の前面と側壁部５１４Ｒの外面とで成す角部の所定の空間５２６内に突出していてもよい。
【００９１】
また、前記実施例では、取付ボス５０７は本体部５１３における底壁部５１６と側壁部５１４Ｒとの連結部分に連結される形態を例示したが、本発明はこれに限定されるものではなく、側壁部５１４Ｌ，５１４Ｒ、底壁部５１６に連結されていてもよい。また、底壁部５１６と側壁部５１４Ｒとの連結部分に、取付ボス５０７の一部が外側に張り出すように連結されていたが、内側である誘導通路側に張り出すように連結されていてもよい。
【００９２】
また、前記実施例では、本体部５１３は、遊技球Ｐが進入する一般入賞口５０１を有し、取付ボス５０７は、本体部５１３における一般入賞口５０１に対向する部位に連結するように設けられているとともに、取付ボス５０７は、一対の側壁部５１４Ｌ，５１４Ｒのうち遊技球Ｐが外面に接触する頻度が高い側壁部５１４Ｒに連結するように設けられている形態について例示したが、これに限定されるものではなく、例えば、一対の側壁部５１４Ｌ，５１４Ｒ各々に取付ボス５０７をそれぞれ設け、側壁部５１４Ｌ，５１４Ｒ各々にてベース部材５０２に固定されるようにしてもよい。すなわち、入賞部材５０５は、取付ボス５０７を複数有していてもよい。これによれば、遊技球Ｐの流下を阻害することなく、本体部５１３を遊技盤面２ａ（ベース部材５０２）に安定して取付けることができる。
【００９３】
また、前記実施例では、取付ボス５０７は、一対の側壁部５１４Ｌ，５１４Ｒのうち遊技球Ｐが外面に接触する頻度が高い側壁部５１４Ｒに連結するように設けられている形態について例示したが、例えば、一方の側壁の外面に遊技球Ｐが接触しない（側方に遊技球Ｐの流路がない）場合、遊技球Ｐが接触可能な他方の側壁に取付部を連結すればよい。
【００９４】
また、前記実施例では、進入部材の一例である入賞部材５０５が一般入賞口５０１を構成する形態について例示したが、これに限定されるものではなく、進入部材は、大入賞口７Ａ、第１始動入賞口、第２始動入賞口、通過ゲート４１、アウト口等を構成する進入部材として適用してもよい。
【００９５】
また、前記実施例では、入賞部材５０５は、一般入賞口５０１が上方に開放するように取付けられる形態を例示したが、本発明はこれに限定されるものではなく、一般入賞口５０１は左側方、右側方、斜め上方などを向いていてもよい。
【００９６】
また、前記実施例では、凹部５０８に挿入された取付ボス５０７は、取付手段の一例であるネジＮ１により固定される形態について例示したが、これに限定されるものではなく、取付ボスに係止部を設け、凹部に被係止部を設け、取付ボスが凹部に挿入された際に、係止部と被係止部とが係止されることにより、凹部から取付ボスが離脱することが防止されるようになっていてもよい。
【００９７】
また、前記実施例では、ネジＮ１をベース部材５０２の後面側から取付ボス５０７に取付ける形態を例示したが、本発明はこれに限定されるものではなく、ネジＮ１を取付ボス５０７の前面側から取付けるようにしてもよい。また、遊技盤２の後面からベース部材５０２を挿通して取付ボス５０７に取付けるようにしてもよい。
【符号の説明】
【００９８】
１        パチンコ遊技機
５０１    一般入賞口
５０２    ベース部材
５０５    入賞部材
５０７    取付ボス
５０８    凹部
５１３    本体部
５１４Ｌ  側壁部
５１４Ｒ  側壁部
５１５    傾斜面
５１６    底壁部
５１７    連結部
５１８    ネジ孔
５１９    補強リブ
５２０    筒状部
【図１】
0006663696.tif 000002
【図２】
0006663696.tif 000003
【図３】
0006663696.tif 000004
【図４】
0006663696.tif 000005
【図５】
0006663696.tif 000006
【図６】
0006663696.tif 000007
【図７】
0006663696.tif 000008
【図８】
0006663696.tif 000009
【図９】
0006663696.tif 000010
【図１０】
0006663696.tif 000011
【図１１】
0006663696.tif 000012
【図１２】
0006663696.tif 000013
【図１３】
0006663696.tif 000014
【図１４】
0006663696.tif 000015